(57)【要約】  本発明は、有機性汚泥（１，４１，６９）を連続的又は半連続的に処理／脱水する方法及び装置であって、汚泥に空気（６，４７，６８）を注入することによって、空気、固形体及び水の三相エマルジョンを製造し、フロック（１４，５１）を生成するために前記エマルジョンに凝集剤（１３，５０，Ｆ）を導入した後、前記フロックを大気圧で脱気する方法及び装置に関する。フロックをそれ自体又はフロックを減速させるエネルギー吸収シャッタ（３９，Ｃ）に柔らかに衝突させることによってフロックを脱気し、このように熟成したフロックを回収して濾過及び／又はデカンテーションを行なう装置（５６，７４）に入れる。
2021525644.tif 000002
【特許請求の範囲】
【請求項１】
有機性汚泥（１，４１，６９）の連続又は半連続処理／脱水のための方法であって、
前記汚泥に空気（６，４７，６８）を注入することによって、空気、固形物及び水の三相エマルジョンを製造し、フロック（１４，５１）を生成するために前記エマルジョンに凝集剤（１３，５０，Ｆ）を導入した後、前記フロックを大気圧で脱気する方法において、前記フロックをそれ自体又は前記フロックの減速のためのエネルギー吸収シャッタ（３９，Ｃ）に柔らかに衝突させることによって前記フロックを脱気し、これにより熟成した前記フロックを回収して濾過及び／又はデカンテーション装置（５６，７４）に入れることを特徴とする方法。
【請求項２】
前記フロックのそれ自体への前記柔らかな衝突は、大気圧に開放している容器（２４，５３）内に噴水（２０）（又はジェット）状に垂直に又は実質的に垂直に前記フロックを出すことによって起こることを特徴とする請求項１に記載の方法。
【請求項３】
前記汚泥を前記容器内に噴水状に吐出するための上部ネックは、前記フロックの熟成に十分である最適化された所定の時間を可能にするように、前記ネックの下に位置する前記容器の下部に所定の量の汚泥を提供するように設計されていることを特徴とする請求項２に記載の方法。
【請求項４】
前記柔らかな衝突は、前記フロックの減速のために前記シャッタ（３９，Ｃ）を形成する壁を含む中間チャンバーに対して前記フロックを出し入れすることによって起こることを特徴とする請求項１に記載の方法。
【請求項５】
前記壁（３９）は可撓性を持つことを特徴とする請求項４に記載の方法。
【請求項６】
収縮による前記エマルジョン中での負荷の損失の発生（１０，４９，７１）後に、前記三相エマルジョンに前記凝集剤（１３，５０，Ｆ）を導入することを特徴とする請求項１〜５のいずれか一項記載の方法。
【請求項７】
前記汚泥を流量Ｑ（m3/h）で連続的に供給して、前記汚泥に流量ｑ（Nm3/h）で注入される前記空気と前記汚泥とを、前記汚泥の流れの第１の領域（７，４４）でｑ≧３Ｑとなるように衝突させることによって、前記エマルジョンを生成することを特徴とする請求項１〜６のいずれか一項記載の方法。
【請求項８】
前記第１の領域（４４）は、特に２つの側壁間に閉じ込められた狭い空間であり、その容積は０．００５m3未満であることを特徴とする請求項７に記載の方法。
【請求項９】
収縮による負荷の損失の前記発生の前に、１００ｌ未満の小さい容積を持つ包囲体（４５，７０）に前記エマルジョンを渡すことを特徴とする請求項１〜８のいずれか一項記載の方法。
【請求項１０】
前記包囲体（４５）は管状であり、その通路の平均断面積は２０cm〜８０cmに含まれることを特徴とする請求項１〜９のいずれか一項記載の方法。
【請求項１１】
前記包囲体（４５）は平均直径ｄ及び高さＨ＞３ｄを持つカラムであり、前記汚泥の供給の高さに注入される前記空気によって形成されるガス床において前記カラムの下部に前記汚泥を導入することを特徴とする請求項９及び１０に記載の方法。
【請求項１２】
前記凝集剤（１３，５０，Ｆ）は、大気に出す前に、前記容器の直近の流出物に注入されるポリマーであることを特徴とする請求項１〜１１のいずれか一項記載の方法。
【請求項１３】
濃縮器として機能する空間（５６，７４）において、前記凝集エマルジョンの浮遊／沈降によって、前記濾過及び／又はデカンテーション装置によって前記フロックを脱気した後に濃縮し、前記濃縮した汚泥を連続的に放出することを特徴とする請求項１〜１２のいずれか一項記載の方法。
【請求項１４】
前記空間は円柱形であることを特徴とする請求項１３に記載の方法。
【請求項１５】
前記空間は平行六面体の水平の槽によって形成されることを特徴とする請求項１４に記載の方法。
【請求項１６】
前記フロックの濾過及び／又は加圧によって、前記脱気の下流で前記フロックの補完的処理を行なうことを特徴とする請求項１〜１５のいずれか一項記載の方法。
【請求項１７】
前記補完的処理は、回転ふるい分けドラム（８１）上に前記フロックを渡すことを含むことを特徴とする請求項１６に記載の方法。
【請求項１８】
前記処理は、１０kg〜４０kgに含まれる圧力による補助的な加圧（Ｐ）をさらに含むことを特徴とする請求項１７に記載の方法。
【請求項１９】
前記空気を前記汚泥の流れの方向に注入することを特徴とする請求項１〜１８のいずれか一項記載の方法。
【請求項２０】
液状有機性汚泥（１，４１，６９）の処理及び／又は脱水のための装置（２，４０，６６）であって、汚泥を第１の流量ｑ（m3/h）で連続的に供給する手段（４２）と、エマルジョン（８）を形成するために前記汚泥に空気を流量Ｑ’（Nm3/h）で供給する手段（４６）と、フロック（１４，５１）を形成するために前記エマルジョンに凝集剤を供給する手段（１３）と、懸濁液中の物質（５９，７７）の液体部分（６０，７９）を分離してこれを連続的に回収するように設計されている、前記フロックの濾過及び／又はデカンテーションのための手段（５６，７４）とを含む装置において、前記フロックをそれ自体に柔らかに衝突させることによって前記フロックを大気圧で脱気する手段（１７，２６，３７，３７’，５２）を含むことを特徴とする装置。
【請求項２１】
前記脱気手段（１７，２６）は、大気圧に開放している容器（１７，２７，Ｅ，３７，３７’）と、大気圧に開放している前記容器内に噴水状に垂直又は実質的に垂直に前記フロックを出すことによる前記フロックの供給部（１９，５４）とを含むことを特徴とする請求項２０に記載の装置。
【請求項２２】
前記脱気手段（３７，３７’）は、前記フロックを通過させるための包囲体（Ｅ）を含み、前記包囲体には、前記流れを減速させる壁（３９，Ｔ）を含む中間の導入又は流出チャンバー（３８，３８’）が設けられていることを特徴とする請求項２０に記載の装置。
【請求項２３】
前記減速壁（３９，Ｔ）は可撓性を持つことを特徴とする請求項２２に記載の装置。
【請求項２４】
前記凝集剤を注入する前に収縮によって前記エマルジョン中で負荷の損失を発生させる手段（１０，４９，７１）を含むことを特徴とする請求項２０〜２３のいずれか一項記載の装置。
【請求項２５】
前記汚泥が流量Ｑ（m3/h）で連続的に供給され、前記装置は、前記汚泥の流れの第１の領域（７，４４）を含み、前記第１の領域において、前記汚泥に流量ｑ（Nm3/h）で注入される空気と前記汚泥とを衝突させることによって前記エマルジョンが形成されることを特徴とする請求項２０〜２４のいずれか一項記載の装置。
【請求項２６】
前記第１の領域（４４）は、特にベンチュリ又は配管の制限部内のように２つの側壁間に閉じ込められた０．００５m3未満の狭い空間であることを特徴とする請求項２５に記載の装置。
【請求項２７】
前記濾過及び／又はデカンテーション手段は、前記エマルジョンが形成される前記第１の領域と収縮部との間に含まれるライン内の包囲体（４５，７０）を含むことを特徴とする請求項２０〜２６のいずれか一項記載の装置。
【請求項２８】
前記包囲体（４５，７０）は平均直径ｄ及び高さＨ≧５ｄを持つカラムであり、汚泥の前記供給のレベル（たとえば上又は下）に注入される空気によって形成されるガス床において前記カラムの下部に前記汚泥が導入されることを特徴とする請求項２０〜２７に記載の装置。
【請求項２９】
前記包囲体（４５，７０）は管状であり、その通路の平均断面積は２０cm〜８０cmに含まれることを特徴とする請求項２８に記載の装置。
【請求項３０】
濃縮器として機能する空間における前記凝集エマルジョンの浮遊／沈降による汚泥の濃縮器（５６，７４）と、オーバーフローを利用して、濃縮した汚泥を重力によって連続的に放出する手段とを含むことを特徴とする請求項２０〜２９のいずれか一項記載の装置。
【請求項３１】
濾過及び／又は加圧によって脱気するための手段の下流における前記フロックの補完的処理のための手段（７４）を含むことを特徴とする請求項２０〜３０のいずれか一項記載の装置。
【請求項３２】
前記補完的処理手段（７４）は、回転ふるい分けドラム（８１）を含むことを特徴とする請求項３１に記載の装置。
【請求項３３】
前記補完的処理手段は、前記ドラム（８１）に前記フロックを押し付ける補助プレート（８２）をさらに備えることを特徴とする請求項３２に記載の装置。
【発明の詳細な説明】
【技術分野】
【０００１】
［背景技術］
本発明は、汚泥流動物への空気の注入と、エマルジョンへの凝集剤の注入による生成とによる液状有機性汚泥の連続又は半連続処理及び／又は脱水のための方法に関する。
【０００２】
また、本発明は、この種の方法を実施する液状汚泥の処理／脱水のための装置にも関する。
【０００３】
本発明は、家庭用又は産業用浄水場から得られる有機性汚泥の容積の削減の分野で、特に重要であるが排他的ではない用途がある。
【０００４】
「有機性汚泥」は、実質的に有機物によって充填された汚泥、すなわち、生物、植物、動物、菌類、その他分解者（たとえば微生物）によって生成されるものを５０％超、たとえば７０％超含む汚泥を意味する。
【０００５】
貯蔵タンクの透水底部で移動する機械的スクレーパによって、凝縮した無機性汚泥又は有機性汚泥の乾燥を改善することを可能にする汚泥脱水装置が既に知られている（ＦＲ  ２  ７２９  ３８３）。
【０００６】
この種の装置には目詰まりのリスクがあるので、目詰まり解消手段が必要であり、該手段の機械的機器には欠点がある。これに加えて、有機性汚泥はコロイド状物質であり、そのデカンテーションは遅く非効率である。
【０００７】
排水テーブルシステム（ｄｒａｉｎｉｎｇ  ｔａｂｌｅ  ｓｙｓｔｅｍ）も公知であるが、これにはきわめて大きな運用上の制約があり、きわめて大規模の設備を要する。これはさらに非効率である。
【０００８】
デカンテーション槽によって形成された静的システムも公知である。
【０００９】
しかし、静的濃縮の場合、滞留時間がきわめて長く、また残念ながら、汚泥の発酵現象が起こることで、悪臭が生じ、該汚泥のコロイド性が増す。
【００１０】
汚泥の懸濁液中の液体と有形物との分離方法も公知である（ＦＲ  ２  ９６６  ８１８）。この方法では、汚泥と流量の多い空気とを、容積の小さい包囲体に注入する。
【００１１】
この方法は並外れて効率的であるが、実質的には高度に無機化された汚泥（すなわち、固形物  １００重量％のうち、所定パーセントの有機物（５〜１５％未満）を含む汚泥）に適用可能なものである。
【００１２】
文献  国際公開公報第２０１５／０７９１７５号についていえば、空気及び汚泥の流動の速さを調節しつつ汚泥流動物に空気を注入することによって液状汚泥を処理する方法が記載されており、本文献では、濃縮装置排水路での脱水の向上よりも前に、凝集薬剤の注入を行なう凝集／デカンテーションによって汚泥を処理する。この場合でもいえることであるが、この方法はきわめて効率的であるが、特に凝集時間と必要な凝集剤の量とに関する限り、乾燥をさらに改善することができる。
【発明の概要】
【００１３】
本発明の目的は、特に、適切な脱気によって、より少量の薬剤（凝集剤）で、特に小規模の設備でより迅速に凝集エマルジョンを得ることを可能にするという点で、既知であるものよりも実際の要求をよく満たす方法及び装置を提供することである。
【００１４】
濃縮された汚泥のフロックを生成するために脱気エネルギーを巧みに用い、その後に抽出物をたとえば単純な掻き寄せシステムに入れるのに好適であり、該フロックが意図しない時に破壊されることがないことにより、浮力によって遊離される汚泥フロックと水との実質的に瞬時の分離が実現される。
【００１５】
このために、本発明は、汚泥の連続処理又は半連続処理及び／又は脱水（代替のバッチを用いる）の原理を出発点にしている。脱気された空気でエマルジョンが生成され、該脱気のエネルギーを運動的な熟成エネルギーとして用いて凝集が行なわれる。
【００１６】
したがって、脱気機能と放出されるエネルギーは、汚泥への凝集剤の浸透を改善するのに用いられる。
【００１７】
有利には、汚泥は、濃縮器容器内のラインの下流で迅速に濃縮もされる。
【００１８】
この目的のために、本発明では、有機性汚泥の連続又は半連続処理／脱水のための方法であって、汚泥に空気を注入することによって、空気、固形物及び水の三相エマルジョンを製造し、フロックを生成するために前記エマルジョンに凝集剤を導入した後、前記フロックを大気圧で脱気する方法において、フロックをそれ自体又はフロックが減速されるエネルギー吸収シャッタに柔らかに衝突させることによってフロックを脱気し、これにより熟成したフロックを回収して濾過及び／又はデカンテーション装置に入れることを特徴とする方法を特に提案する。
【００１９】
「エネルギー吸収」は、少なくとも２に等しい係数でフロックの運動エネルギーを減少させるように設計されていることを意味する。
【００２０】
衝突は液体／液体型の衝突である。
【００２１】
この種の余分な空気の穏やかで部分的な脱気では、エマルジョンは損傷せず、脱気のエネルギーを用いて良好な凝集を行なうことができ、これにより、ポリマーを混合する時間を１０〜２０％短縮したり最大５０％も短縮したりすることができるだけでなく、用いられるポリマーの量を削減することができる。
【００２２】
「柔らかな衝突」は、たとえばフロックそれ自体の上に、重力によって落下することを利用する、フロックそれ自体に対する、衝撃を与えない衝突又は徐々に進行する接触か、あるいは、エネルギーの吸収のためのシャッタや壁やディスク、例として、可撓性を持つか、又は、たとえば数cm2（たとえばｘ×ｙ、ｘ及びｙ＜１０cm）の小さい寸法を持ち、流れを減速させるように設計されているが、流れの中に突発的に過剰な圧力を発生させる不規則性を構成しないシャッタに対する、衝撃を与えない衝突又は徐々に進行する接触を意味する。
【００２３】
「シャッタ」や「可撓性シャッタ」は、たとえばゴムや同等物で形成された弾性要素や半硬質要素を意味し、これは、汚泥のフロックを破壊することなく、減速による負荷の損失に耐え及び／又は発生させることができ、これによって圧力による脱気を可能にする。
【００２４】
この種のシステムは、フロックの形成の連続性と、プロセス中の前記フロックの通過や移送の速度に対する適合性とを確保しつつ、余分な空気の脱気を可能にする。
【００２５】
ポリマーに関する限り、従来、汚泥脱水ラインの運転者は、確実により重いが分裂しにくいフロックを得るために、過剰なポリマーを供給する傾向がある。
【００２６】
本発明を用いれば、脱気エネルギーを用いて単純な方法で凝集プロセスを改善することによって、設備の運転者が過剰に投入する傾向はもはやなくなるので、前記リスクが大幅に最小化される。
【００２７】
実際に、処理ラインについて、凝集剤を最大３０％省くことを可能にする結果が得られている。
【００２８】
「半連続」は、連続又は半連続処理を可能にして優れたペースを可能にするために、瞬時に互いに代替可能である、又は、実質的に停止させずに互いに代替可能である連続的バッチを用いることを意味する。
【００２９】
連鎖の最後において、得られた熟成フロックは、掻き寄せや、開放された水が得られる別のタイプの分離による固形物の抽出に好適である。
【００３０】
有利には、フロックのそれ自体への柔らかな衝突は、大気圧に開放された容器内に噴水（又はジェット）状に、垂直に又は実質的に垂直に、フロックを出すことによって形成される。
【００３１】
フロックを空気に接触させることにより、この種の穏やかな脱気を用いる。フロックの破損がなく、このことにはポリマーの過剰な消費を抑え、したがって、濾液へのポリマーの継続的な放出を抑える効果がある。
【００３２】
加えて、大気に開放されている容器の空いている上部空間に放出される汚泥のジェットのエネルギーにより、汚泥への凝集剤のより良好な取込みが可能になる（これにより、凝集を加速することができる）。
【００３３】
また、有利には、汚泥を容器内に噴水状に吐出するための上部ネックが、汚泥と凝集剤とを混合するのに十分である最適化された既定の時間を可能にするように、前記ネックの下に位置する前記容器の下部に所定の量の汚泥を提供するように設計されている。
【００３４】
このために、容器の底に対するネックの高さは、たとえば３０cm以上である。
【００３５】
別の有利な実施形態によれば、柔らかな衝突は、減速壁及び／又は流れを減速させる領域を含む中間チャンバーへの、又は、中間チャンバーからの、フロックの導入又は排出によって生じる。
【００３６】
有利には、この目的のため、フロックを通過させるための、（脱気のために）大気に開放されている包囲体に、フロックが導入され、該包囲体には、流れの通路中に位置する、及び／又は、前記フロックが導入される方に向いている減速シャッタ、たとえば可撓性を持つ壁を形成する壁を含む中間チャンバーが設けられる。
【００３７】
有利には、減速壁は、流れに垂直な軸を持つ凸状の半円筒形の壁であり、したがって、頂部（又は外側の母線）は流れに向けられる。
【００３８】
この場合でも、フロックの成熟、すなわち、均質になって脱気されたフロックの構成（汚泥と凝集剤との混合物）に十分な最適時間を可能にするように、容器の下部に汚泥の空間を設けるように容器を設計する。
【００３９】
また、有利には、包囲体が、下部が開放している包囲体の水平壁を含み、これにより、凝集したエマルジョンを均一な速度で分配することが可能であり、該壁は、減速壁としても機能することができるし、機能しなくてもよい。
【００４０】
別の実施形態によれば、壁又は減速シャッタは、脱気された流れの流出用チャンバーの前に位置する。
【００４１】
有利な実施形態によれば、以下に記載されているものの１つ及び／又はその他が、また及び／又はさらに、適用される。
収縮によるエマルジョン中での負荷の損失の発生後に、三相エマルジョンに凝集剤を導入する。
【００４２】
収縮は、たとえばベンチュリやピンチバルブによって形成される、配管の不規則性によって行なわれる。
汚泥を流量Ｑ（m3/h）で連続的に供給して、汚泥の流れの第１の領域においてｑ≧３Ｑとなるように、汚泥に流量ｑ（Nm3/h）で空気を注入して、汚泥と空気とを衝突させることによってエマルジョンを生成する。
第１の領域は、空気の流れと汚泥との混合物の速さが少なくとも１０m/Sとなるように、特に２つの側壁の間に閉じ込められた狭い空間（例えば、ベンチュリ又は配管の制限のような）であり、その容積は、たとえば０．００５m3未満であり、たとえば１０cm3〜２００cm3に含まれる。
【００４３】
注入領域のサイズの特定の縮小（たとえば５０cm3）により、汚泥／空気の優れた混合が可能になるだろう。
【００４４】
実際、この箇所には、動力学的な衝突を引き起こす高速領域が存在し、この衝突によって、気泡を細菌のフロックに浸透させることが可能である。
その後、収縮による負荷の損失の前記発生の前に、小さい容積（容積  ２００ｌ未満）を持つ包囲体にエマルジョンが渡される。
【００４５】
第１の領域と包囲体とを、２つの別々のチャンバー内に２つの領域を形成する制限部（ベンチュリ及び／又はオリフィス）によって分離することもできる点に留意するべきである。
包囲体は管状であり、その通路の平均直径は１０mm〜５０mmに含まれる。
包囲体は、平均直径ｄ及び高さＨ≧５０ｄ（たとえば１０ｄ）を持つカラムであり、汚泥の前記供給の高さに注入される空気によって形成されるガス床（gaseous bed）において、カラムの下部に汚泥が（たとえば上又は下に）導入される。
凝集剤は、大気に出す前に、容器の直近の流出物に注入されるポリマーである。これはたとえば陽イオン型の有機凝集剤である。
濃縮器として機能する空間で、凝集したエマルジョンを浮遊／沈降させることによって、濾過及び／又はデカンテーション装置で脱気した後に、フロックを濃縮し、たとえばオーバーフローを利用して、濃縮した汚泥を連続的に放出する。
【００４６】
有利には、空間の表面を多少すぼめることによって、浮遊層の厚さを（用いられる空気及び汚泥の流量に応じて）調整することができる。これにより、その後、自重によってさらに沈降を行なうことができるので、ＭＳ  １００〜１２０g/lの濃度を得ることができ、凝集汚泥の下で得られる水の品質と透明度が継続的にきわめて優れたものになる（ＤＣＯが２００mg/l未満になるし、生物汚泥の場合には１００mg/lにさえなる）ことが分かる。
空間は円柱形である。
空間は平行六面体の水平の槽によって形成される。
フロックの濾過及び／又は加圧によって、脱気の下流でフロックの補完的処理を行なう。
補完的処理は、回転ふるい分けドラム上にフロックを渡すことを含む。
処理は、たとえば加圧プレートを用いた補助的な加圧をさらに含み、圧力は１０kg〜４０kgに含まれ、たとえば２５kgであり、これにより、さらに改善された固形物の濃度を得ることができ、単位リットルあたり９０ｇ程度であることが可能である。
空気を汚泥の流れの方向に注入する。
【００４７】
本発明では上述されている方法を実施する装置も提案する。
【００４８】
本発明は、液状有機性汚泥の処理及び／又は脱水のための装置であって、汚泥を第１の流量Ｑ（m3/h）で連続的に供給する手段と、エマルジョンを形成するために汚泥に空気を流量Ｑ’（Nm3/h）で供給する手段と、フロックを形成するためにエマルジョンに凝集剤を供給する手段と、懸濁液中の物質の液体部分を分離してこれを連続的に回収するように設計されている、前記フロックの濾過及び／又はデカンテーションのための手段とを含む装置において、フロックをそれ自体又は可撓性を持つ壁に柔らかに衝突させることによって、前記フロックを大気圧で脱気する手段を含むことを特徴とする装置も提案する。
【００４９】
有利には、脱気手段が、大気圧に開放している容器と、大気圧に開放している前記容器内に、噴水状に、垂直又は実質的に垂直に、フロックが出ることによるフロックの供給部とを含む。
【００５０】
また、有利には、脱気手段は、フロックを通過させる包囲体を含み、包囲体には、流れを減速させる壁を含む中間導入チャンバーが設けられている。
【００５１】
有利には、壁は、可撓性を有し、及び／又は、湾曲し（例として、たとえば５cm〜１００cmに含まれる、複数センチメートルの曲率半径を持つ）、その頂部が流れの方向に向く。
【００５２】
有利な実施形態によれば、装置は、凝集剤を注入する前に収縮によってエマルジョン中で負荷の損失を発生させる手段を含む。
【００５３】
収縮は、たとえば、ベンチュリやバルブによって形成される配管の不規則性によって行われ、たとえばピンチバルブやフラップバルブによって行なわれる。
【００５４】
有利には、装置は、浮遊によって分離するために、装置内の熟成したフロックを回収する手段を含む。
【００５５】
装置の有利な実施形態によれば、以下に記載されているものの１つ及び／又はその他が、また及び／又はさらに、適用される。
汚泥が流量Ｑ（m3/h）で連続的に供給され、装置は、汚泥の流れの第１の領域を含み、第１の領域において、汚泥に流量ｑ（Nm3/h）で注入される空気と、汚泥とを衝突させることによって、エマルジョンが形成される。
第１の領域は、特に２つの側壁の間に閉じ込められた狭い空間（例えば、ベンチュリ又は配管の制限のような）であり、その容積は、たとえば０．００５m3未満であり、たとえば１０cm3〜２００cm3に含まれる。
装置は、エマルジョンが形成される前記第１の領域と、収縮部との間に含まれるライン内の包囲体を含む。したがって、得られたエマルジョンは、収縮及び凝集の前に、容積の小さい包囲体に渡される。第１の領域と包囲体とを、２つの別々のチャンバー内に２つの領域を形成する制限部（ベンチュリ及び／又はオリフィス）によって分離することもできる点に留意するべきである。「小さい容積」は、数十リットル、すなわち１００ｌ未満を意味する。
包囲体は、平均直径ｄ及び高さＨ≧３ｄを持つカラムであり、汚泥の前記供給の高さに注入される空気によって形成されるガス床（gaseous bed）において、カラムの下部に汚泥が（たとえば上又は下に）導入される。
包囲体は管状であり、その通路の平均断面積は２０cm〜８０cmに含まれる。
濾過及び／又はデカンテーションのための手段は、濃縮器として機能する空間で、凝集したエマルジョンを浮遊／沈降させることによる汚泥の濃縮器と、たとえばオーバーフローを利用して、濃縮した汚泥を重力によって連続的に放出する手段とを含む。
空間は円柱形である。
空間は平行六面体の水平の槽によって形成される。
装置は、脱気のための手段の下流で、濾過及び／又は加圧によってフロックの補完的処理を行うための手段を含む。
補完的処理手段は、回転ふるい分けドラムを含む。
補完的処理手段は、ドラム上でフロックを加圧する補助プレートをさらに備える。
【００５６】
本発明は、限定されない例によって以下に記載されている実施形態を読むことによってよりよく理解される。説明の際には該説明に付随する図面を参照する。
【図面の簡単な説明】
【００５７】
【図１】本発明に係る方法の第１の実施形態を示す図である。
【図２】本明細書で特に説明されている本発明の実施形態に係る装置の脱気／熟成槽を断面図で概略的に示す。
【図２】図２を参照して説明されているタイプの装置の脱気器／熟成槽の実施形態の正面から見た図である。
【図２Ａ】図２を参照して説明されているタイプの装置の脱気器／熟成槽の実施形態のＩＩＡ−ＩＩＡに沿った断面の図である。
【図３】減速壁を有する脱気器／熟成槽の別の実施形態の上から見た図である。
【図３Ａ】減速壁を有する脱気器／熟成槽の別の実施形態のＩＩＩＡ−ＩＩＩＡに沿った断面の図である。
【図３Ｂ】減速壁を有する脱気器／熟成槽の変形実施形態の概略図である。
【図４】濃縮器を有する本発明に係る装置の別の実施形態を概略的に示す。
【図５】回転ドラム濃縮器を有する本発明に係る装置の別の実施形態を概略的に示す。
【図６】図５のドラムを有する濃縮器の斜視図である。
【図７】図５のドラムを有する濃縮器の上から見た図である。
【図８】図５のドラムを有する濃縮器のＶＩＩＩ−ＶＩＩＩに沿った断面の図である。
【発明を実施するための形態】
【００５８】
図１は本発明の第１の実施形態に係る汚泥処理方法の機能を概略的に示す。
【００５９】
たとえば１０〜５０m3/hに含まれる流量Ｑ（m3/h）で、汚泥１が連続的に装置２に導入される。ただし、たとえば１００m3/hなどのより多い流量を提供することができる。
【００６０】
より具体的には、汚泥はたとえばタンク（示されていない）から圧送され、例として、たとえば呼び径５〜１５cmの配管４によって形成される循環路（ｃｉｒｃｕｉｔ）の第１の部分３を満たし、配管は直管か実質的に直管で、たとえば水平管であり、長さ数メートルで、たとえばゲージ圧１〜３バールの配管である。
【００６１】
空気６を、所定の圧力、たとえば、汚泥の供給圧力を０．２〜２バール超える範囲に含まれる圧力で、流量ｑ’（Nm3/h）、たとえば５０Nm3/h（有利には、ｑ’≧２Ｑ）で注入する手段５（たとえばコンプレッサ）が、配管の第１の領域７に設けられている。
【００６２】
「Nm3/h」（毎時ノルマルリューベ）は、標準状態、すなわち、大気圧でたとえば１５℃を起点とすることを意味する。
【００６３】
有利には、汚泥の流れの方向に注入が行われる。これにより、下流で得られる空気、固形物及び水からなる三相エマルジョン８の速さを高めることが可能になる。
【００６４】
図１に示されている実施形態では、第１の領域７は、たとえば、配管４のその他の領域と同じ直径を持つ配管部分である。
【００６５】
しかし、有利には、第１の領域７の断面が、配管のその他の領域よりも小さいことが可能である。第１の領域７は、たとえば、ベンチュリ（たとえば長さ１〜１０cm）の中央部によって形成される。あるいは、より一般的には、配管の制限部を形成する小径の部分、たとえば、該配管のその他の領域よりも２〜１０倍小さい直径の部分によって形成される。
【００６６】
注入領域の容積のサイズをかなり減少させることにより（たとえば１リットル未満）、汚泥／空気の優れた混合が可能になる。
【００６７】
実際、この箇所には、動力学的な衝突を引き起こす高速領域が存在し、この衝突によって、気体内に汚泥を噴出させることが可能である。
【００６８】
このようにして得られた空気、（実質的に有機の）固形物、及び、水からなる三相エマルジョン８が、循環路（circuit）の第２の領域９に渡される。第２の領域９は、たとえば、制限部１０よりも前で、所定の長さＬ（たとえば長さ数センチメートル〜１又は２メートル）だけ延びる、直前の記載で説明した第１の領域と同じタイプの配管によって形成されている。
【００６９】
以下、図４を参照して分かるように、第２の領域を包囲体によって少なくとも部分的に形成することもできる。したがって、第１の領域からは下流にあり、制限部１０（可変開口を有するバルブによって形成することができる）よりも前にある前記第２の領域内のエマルジョン８が、気流中の多数の汚泥の液滴によって形成される。
【００７０】
したがって、ここで説明されている態様では、制限部１０により、第２の領域内で及び／又は第２の領域の流出部で、収縮によって、エマルジョン中で負荷の所定の損失が形成され、これによってエマルジョンの汚泥／空気の混合がさらに促進される。
【００７１】
その後、空気１６の流れの中で凝集し及び／又は多数の気泡と混ざり合った汚泥の粒子のフレーク状物１５を含むフロック１４を生成するために、凝集剤１３、たとえば有機凝集剤（たとえば陽イオン型のポリマー）が、前記配管の連続部１２によって形成された第３の領域の１１に導入される（たとえばポンプによって、元来公知である仕方で導入される）。
【００７２】
この段階では、上記の配管の連続部によって形成される制限された空間、あるいは、フロックを運搬する新しい配管１５によって形成される制限された空間で、凝集したエマルジョンが形成されるので、空気の量が多く、上流での負荷の損失にもかかわらず流量が多いままである結果、凝集したエマルジョンは高活性である。
【００７３】
実際に、観察される流量は、フロックの破壊のリスクがあり、Ｑ＋ｑに実質的に等しい。フロックの破壊のリスクは、前記第２の配管の長さとともに増加するので、その長さは短いことが有利であり、たとえば、１ｍ未満であり、不規則性（曲げ部）がないことが有利である。
【００７４】
ここで特に説明されている本発明の実施形態によれば、その後、フロックまたは凝集エマルジョンが、脱気槽又は容器１７内に、底部１８から、屈曲した配管部分１９を介して導入される。屈曲した配管部分１９は、容器内に噴水状にフロックを吐出するように、あるいは、この手段によって既に放出されたフレーク状物２２の上に、降雨（矢印２１）のように落下する垂直ジェット２０の形態でフロックを吐出するように設計されており、凝集エマルジョン又はフロックのそれ自体の上への柔らかな衝突を生じさせる。
【００７５】
この手段によって、汚泥の流動を動的に引き起こす役割とその曝気の役割との両方を担う空気の大部分が、自然脱気によって急激に放出されて、２４で大気に開放されている容器１７の上部２３に向かうように強制される。
【００７６】
その部分のための柔らかな衝突により、フロックの自然で穏やかなタイプの攪拌が可能となり、フレークにダメージを与えずに十分な脱気が可能となり、軽量を維持し、放出された水の流れを用いた良好な脱水に適している。
【００７７】
容器の汚泥の高さＨの寸法、幅の寸法及び／又は容器／脱気器１７の寸法、及び、浮遊による分離装置（示されていない）へ（重力によって）向かう、容器の下部における放出流出部２５の寸法それぞれは、汚泥が良好に熟成して凝集することを可能にするように設計されている。
【００７８】
「良好な熟成」は、放出される水から分離することができる、コンパクトな有機マクロ構造（ｃｏｍｐａｃｔ  ｏｒｇａｎｉｃ  ｍａｃｒｏｓｔｒｕｃｔｕｒｅ）を確立するように、細菌のフロックにポリマー分子が安定的に強固に固着することを意味する。
【００７９】
図２は、本発明の実施形態に係る脱気器２６の断面を概略的に示す。
【００８０】
脱気器は、たとえば円筒形の容器２７を含み、その高さは１ｍに実質的に等しい。
【００８１】
容器の直径は、たとえば２００〜３００ミリメートルに含まれる。
【００８２】
汚泥は、たとえば直径８０mmの配管によって２８から供給され、該配管は容器の下部２９に貫入した後、９０°の曲げ部３０と、たとえば直径１００の円筒形の垂直部分３１とを有する。
【００８３】
円筒形の垂直部分３１の端は、噴水状に汚泥を流出させるためのネック３２になっている。
【００８４】
容器は、円筒形の配管３１がそれに向けて開口する内容積Ｖを形成する。
【００８５】
この容積は、ベース３２を有し、このベース３２には、凝集したエマルジョンの流入配管と同一の直径を有する流出配管３３が設けられる。
【００８６】
有利には、容器に渡された後にフロックから補完的に脱気するための分岐３４が放出配管の上部に設けられ、該上部３５’の高さが容器内の汚泥の液位よりも低い。
【００８７】
上部３５’の高さは、脱気器においてフロックの所定の滞留／熟成時間（たとえば２０ｓ）を可能にするために、容積Ｖの底部を基準にして、ネックと同じであるか僅かに低くなるように設計されている。
【００８８】
容積Ｖの上部の端は、大気への流出のための開口３５になっている。該開口は、有利には、汚泥のしぶきを止める覆い３６によって保護される。説明されている実施形態では、ＤＮ８０mmの様々な供給配管の入出力寸法を用いる場合、フロックの熟成を可能にするフロックの高さＨ、すなわち、容器の底部と円筒形の垂直部分３１のネックの外周との間の高さは、たとえば４００〜６００mmに含まれ、たとえば５００mmである。
【００８９】
以下、説明では、同一の参照番号が同一又は同様の要素を示すのに用いられる。
【００９０】
図２及び図２Ａは、フロックをそれ自体に柔らかに衝突させることによってフロックの脱気を可能にする本発明に係る脱気器の別の実施形態を示す。
【００９１】
流量２０m3で連続的に供給される汚泥の処理のために、配管及び／又は商業的に入手可能なプラスチック材料又はスチールのシートを用いて、脱気器を寸法１．５０ｍ×１ｍ×６００mmの平行六面体に入れることができ、これはきわめて有効である。
【００９２】
実際に、大気に出すことによる単純な脱気や、さらにはフレークから空気を分離する機械的な攪拌を用いた脱気器と比較した場合、通常よりも安定なフロックを生成しつつ、フレークを破壊せずに２０％程度、あるいは５０％もの凝集時間の改善が図れる。
【００９３】
したがって、たとえば、図２を参照して説明されているタイプの装置を用いる場合、最大有効容積６４１（４００mm×４００mmの正方形の底）、ＤＮ１２０mmの流入曲げ部及び５〜１２m3/hの運転（空気流量３０Nm3/h）を用いれば、良好なフロックが得られ、このフロックは非常に一貫性がありかつ浮遊性があるだけでなく、先行技術を用いるよりも迅速に得られる。このことは特に以下の表Ｉから明らかである。この表は、噴水の落下の高さＨ（柔らかな衝突は高さＨに依存する）の条件も示している。
【００９４】
【表１】
2021525644.tif 000003
【００９５】
図３及び図３Ａは、本発明の別の実施形態に係る熟成脱気器３７の例を上からの視点と、ＩＩＩＡ‐ＩＩＩＡに沿った断面の視点とで示し、熟成脱気器３７は、たとえば切り欠かれた角Ｃを有する平行六面体の形状を持つ包囲体Ｅを含み、凝集剤Ｆの流れの流入に対して水平に配置され、たとえば寸法Ｗ×Ｌ×Ｈ：３００×４００×３００であり、処理流量は１０〜１３M3/h、ＭＳは８〜１０g/l、Ｖｅｆｆは３０リットルである。
【００９６】
Ｖｅｆｆ（有効容積）は、エマルジョンの増殖及び熟成に必要なエネルギーを吸収することを可能にする復調器（ｄｅｍｏｄｕｌａｔｏｒ）の流入部での汚泥／水の容積である。
【００９７】
前記容積は寸法によって異なる。
【００９８】
容積は概算でたとえば３０〜４０リットルである。
【００９９】
包囲体Ｅは、通路３８のチャンバに連通する流入部を含む。流入部はたとえば円柱形であり、円柱の一部３８’は、該チャンバの全長にわたって、下部が開放している（たとえば上記の数値例では、２００mm。流入部の水平方向の端に、フロックを減速させることができる壁３９が設けられていたり、壁が可撓性を持つ場合に、壁がフロックＦの穏やかな圧力が加わっている状態で内部３９’に向かって動くことができたりする。）
【０１００】
上部において、前記包囲体は、脱気器の空気の放出のための管Ｔと、他の端にある流出オリフィスＳとを含む。包囲体Ｅは、たとえばその長さの２／３のところに、フロックを幅広のスロットＺを介して下部に放出させることができる中間分配壁Ｐを有することができるし、有さなくてもよい。
【０１０１】
この種の壁は、直接フロックの減速を可能にしたり、エマルジョンの均一性を強めたりする。
【０１０２】
図３Ｂは本発明の別の実施形態に係る熟成脱気器３７’の長手方向の変形例を示す。
【０１０３】
後述される浮遊装置と組み合わせて脱気器を用いる場合であっても、混合の衝突を緩和するように設計される内壁をゴムや別の柔軟な材料で形成することが有利である。帯状フィルタ（ｓｔｒｉｐ  ｆｉｌｔｅｒ）とともに用いる場合には、補完的処理として、たとえば多少張り出した凸状の形状のより剛性の高い壁が一例として用いられ、この壁は生成されたフロックを僅かに減速させることができるが、完全には減速させず、単にフロックのサイズを縮小することで、より圧縮性にする。
【０１０４】
より具体的に、図３Ｂの変形例には、下部にある汚泥Ｘと上部にあるガスとで満たされた包囲体３７’の領域Ｂに向かうエマルジョン及び余分なガスのための流入部Ａが示されている。
【０１０５】
領域Ｂは流れのエネルギーを緩和する壁Ｔによって閉ざされており、壁は可撓性があるか、硬質である（かつ、有利には、凸状である）。
【０１０６】
余分なガスは、通気口／排気口Ｄによってガスを含む天井部から抽出される。
【０１０７】
壁Ｔによる注入中の液流の抽出が領域Ｇによって実行され、これにより、たとえば１m/s未満の穏やかな層流が生じることで、多孔性のフロックが懸濁液に入り込むことが可能になる。
【０１０８】
エマルジョンを形成するために、最大１００Nm3/hで加えられる空気に対して、１０〜３０g/l、２０〜２３m3/hの汚泥が充填される。包囲体は、たとえば寸法Ｗ×Ｌ×Ｈ＝５００×２００×２５０を有し、１３０mmの流出管が包囲体に貫入し、壁の吸収高さは１６０cmである。
【０１０９】
図４は本発明に係る装置４０の別の実施形態を示す。
【０１１０】
供給ポンプ４２と、制限部４４に向かう配管４３とを介して、液状有機性汚泥４１が導入される。一例として、制限部４４は、たとえば高さ１ｍ、直径５０cmの管状包囲体４５にあるベンチュリによって形成される。
【０１１１】
コンプレッサ４６は、エマルジョン４８又は汚泥・空気・水の三相混合物を形成するために、たとえば液の方向に角度３０°だけ傾けて、圧縮空気４７をベンチュリ４４の内部に供給する。
【０１１２】
管状包囲体は、たとえばゲージ圧約１．２〜２バールに維持される。
【０１１３】
包囲体の内圧に応じて調整バルブ４９を用いてこれを行なうことができる。該バルブ４９は、制限部を構成し、その下流には、それ自体は公知である供給投入装置５１を介して凝集剤５０が供給される。
【０１１４】
凝集剤の供給部の下流では、これによって凝集されたエマルジョン５１が、ここで特に説明されている本発明の実施形態に係る脱気器５２に供給される。
【０１１５】
凝集エマルジョンやフロックのための脱気器は、５３で大気圧に開放されており、かつ、噴水状にフロックを供給するための垂直管５４を含む。これにより、フロックがそれ自体に柔らかに衝突することを可能にすることで、凝集エマルジョンの所定の非破壊的な脱気が可能になる。
【０１１６】
汚泥は、脱気器の内部に所定の時間、たとえば約１〜５分留まった後、配管５５を介して、濃縮装置５６に向けて重力によって放出される。
【０１１７】
したがって、脱気されたエマルジョン５７は、装置の下部の中間部分５８に到達し、表面に上昇する固形物５９と、重力によって６１から連続的に放出される澄んだ水６０とに即時に分離される。
【０１１８】
固形物５９は、濃縮器／浮遊装置５６の上部でたとえば傾斜路６２を介して放出され、これにより、脱水された汚泥（固形物）は、穿孔ベルト６３上に重力によって放出される。これにより、さらなる濾過によって得られた残留した水（矢印６４）は、６１で得られた遊離した水と混合するために回収される。
【０１１９】
有利には、装置の放出部から得られた汚泥をさらに脱水して濃縮化するために、それ自体は公知である方法によって汚泥に圧力Ｐが加えられる。
【０１２０】
その後、濃縮化及び脱水がなされた汚泥６５は、ベルトの下流で回収される。これにより、乾燥ペレット状でそのまま販売することができる構成に特に好適な、濃縮汚泥の堆積物を構成することができる。
【０１２１】
本発明を用いれば、濃縮装置５６で即時に浮遊現象が起こり、フレーク装置での上昇の速さは、以前に観察された速さよりも速く、言い換えれば、２０m/hや５０m/hや１００m/hにもなる。
【０１２２】
図５は本発明に係る装置６６の別の概略実施形態を示す。
【０１２３】
本装置は、三相エマルジョン６７の製造システムを含み、三相エマルジョン６７は汚泥供給物６９に注入される給気６８を含み、それがその状態のまま小型包囲体７０に導入される。小型包囲体７０の上部にある端は、７２での供給のための制限部７１になっており、凝集剤Ｙの注入の後、図２の脱気器２６に向かう。
【０１２４】
説明した通り、この脱気器は、本装置で得られた凝集汚泥の熟成槽としても機能する。
【０１２５】
この凝集汚泥は、脱気器の内部に所定の時間、たとえば２０ｓ留まった後、水圧保護部（ｈｙｄｒａｕｌｉｃ  ｇｕａｒｄ）を形成する曲げ部７３を介して、濃縮装置７４に供給される。
【０１２６】
本装置は、脱気された凝集汚泥を受け入れる実質的に平行六面体のハウジング７５を含み、その中央部分や下部の中間部分７６で受け入れる（たとえば、高さの中間に位置する分岐を用いる）。
【０１２７】
澄んだ水７９から即時又は実質的に瞬時に（１秒未満）固形部分７７が分離され（矢印７８）、澄んだ水７９はたとえばじょうご状のハウジングの下部８０から抽出される。
【０１２８】
一方、固形部分７７は、たとえば、毎分数回転の速さで電気モータによって作動する円筒ドラム８１によって上部に送り込まれる。
【０１２９】
ドラムの円筒外周面と合わさる形状のプレート８２が設けられ、プレート８２によって凝集されて回転する汚泥にたとえば２５kgの圧力Ｐが加えられることで、８３で得られる固形物の乾燥度がさらに上がる。
【０１３０】
したがって、本発明により、上記の表Ｉに示されているように、従来のサイクロン式脱気器を用いるよりも明らかに優れた結果を得ることができる。
【０１３１】
図６〜図８を参照して、以下、濃縮器７４のより詳細な説明を行なう。
【０１３２】
たとえば流量２０m3/hの汚泥を処理するために、濃縮器は、たとえば１ｍ×１．５ｍ×１．５ｍの平行六面体に含まれる実質的に平行六面体のハウジング７５によって形成される。
【０１３３】
ハウジングは、その高さの中間位置に、凝集及び脱気がなされた汚泥８５の供給のための分岐８４を含む。分岐８４は、固形物７７と液体７９との分離のために、ハウジング内で実質的に一定の高さに位置する面８６よりも下で、濃縮器７４に汚泥を供給する。該分離は、浮遊／分離装置７４のハウジング７５内で汚泥の上昇速度が速いので、実質的に瞬時に起こる。
【０１３４】
ハウジングの上部に位置する有機物７７が、回転ドラム８１の外面８７によって送り込まれる。該外面は、多数の孔を有する格子８８で形成され、回転モータＭによって水平軸まわりに回転する。
【０１３５】
ドラム上に広げられた物質を送り込むことの前記効果により、一定の流量の汚泥を抽出することが可能になる一方で、多数の孔を有するドラムを通して水を補助的に抽出することが可能になり（矢印８９）、抽出された余剰の水は、その後、たとえば、下方に傾斜した壁９０を有する回収タンクのようなハウジングの下部８０に戻る。
【０１３６】
遊離した水７９についていえば、凝集及び脱気がなされた汚泥の導入用の分岐８４と同じ側に位置する分岐９１を介して抽出される。
【０１３７】
有利には、これに加えて、加圧プレート８２が加圧手段９２に設けられ、加圧手段は、たとえば、それ自体は公知である油圧式や電気式のジャッキ９３による手段によって構成される。
【０１３８】
したがって、最初の汚泥の乾燥物の濃度がたとえば単位リットルあたり５〜１０グラムに含まれる場合、浮遊処理された汚泥７７の濃度は３０〜５０g/l（乾燥物の濃度）である。
【０１３９】
予想外に、濾材上へのプレート９２の加圧が５００〜１，０００マイクロメートルの遮断閾値（cut-off threshold）となった場合、濃度が８０g/l、９０g/l、又は１００g/lまでさえ上昇し、脱気器を用いた上流の処理が、この種の結果を可能にする汚泥構成を明らかに発生させることを観測することができる。
【０１４０】
汚泥に加えられる圧力Ｐは、抽出をさらに支援するのに十分でなければならないが、一方で、得られた汚泥の特定の多孔構造をつぶさないものでなければならない。
【０１４１】
このために、当業者に公知である方法で、処理済の流量（したがって、ドラムの上面に広がった汚泥の層の高さ）に応じて、汚泥が投入及び調整される。
【０１４２】
図４を参照して、以下、ここで特に説明されている本発明に係る方法の実施例を説明する。
【０１４３】
汚泥４１は、たとえば直径ＤＮ５０、数メートルに等しい長さＬのパイプで、たとえば２０m3/hの流量Ｑで圧送することによって、連続的な流量で供給される。同時に、大きな流量の空気（たとえば６０Nm3/h）がベンチュリ４４に連続的に注入され、三相エマルジョンが形成され、その後、それは、過剰圧力によって包囲体４５に入り込む。その後、該エマルジョンは、新たな加圧／減圧の衝撃を引き起こす制限部４９、たとえばバルブを介して渡される。
【０１４４】
その後、高度に曝気されたフロックを生成するために、必要な処理の高さで凝集剤が導入される。
【０１４５】
前記フロックは脱気容器５２内に向けて降雨状に広がる。
【０１４６】
フロックがそれ自体に柔らかに衝突することにより、フロックを損傷させずに良好な脱気が可能になる。これには、曲げられた管の寸法、容積Ｖ及び流量を考慮すると、放出される前に容器内で数秒（から数分）しか要さないので、優れた熟成物が生成される。
【０１４７】
その後、熟成したフロックは、分離浮遊装置５６に重力によって移送され、そこでフロックは遊離した水の水面にほとんど瞬時に上昇し（数秒後）、ほとんど決められた浮遊線を離れる。遊離されたきわめて清浄な水が下方に放出される。
【０１４８】
一方、（固形）フロックの方については、補完的な方法で加圧するため、オーバーフロー及び重力を利用した駆動により、あるいは、図５を参照して説明されているようなドラムによって、上部を通じて放出された後、放出される（フロックの堆積物６５）。
【０１４９】
理解されるであろうが、また、上記の説明からも明らかなように、本発明は特に説明されている実施形態に限定されない。それどころか、本発明は、すべての変形例を組み入れており、特に、その優れたコンパクトさを考慮して、たとえばトラックのトレーラに取り付けることによってすべての装置が移動可能である変形例を組み入れている。これにより、要求に応じて装置をある場所から別の場所に移すことができる。
【図１】
2021525644.tif 000004
【図２】
2021525644.tif 000005
【図２Ａ】
2021525644.tif 000006
【図２Ｂ】
2021525644.tif 000007
【図３】
2021525644.tif 000008
【図３Ａ】
2021525644.tif 000009
【図３Ｂ】
2021525644.tif 000010
【図４】
2021525644.tif 000011
【図５】
2021525644.tif 000012
【図６】
2021525644.tif 000013
【図７】
2021525644.tif 000014
【図８】
2021525644.tif 000015
【国際調査報告】
2021525644.tif 000016
2021525644.tif 000017
2021525644.tif 000018
2021525644.tif 000019